(57)【要約】【課題】ケーキ調理において、短時間で火通り良く、しかも適度な焦げ色に焼き上げることができる、ケーキ調理機能付き炊飯器を提供すること。【解決手段】被調理物を入れる鍋１と、前記鍋を加熱する鍋加熱手段２と、前記鍋の温度を検知する鍋温度検知手段３と、前記鍋の上面開口部を覆う蓋４と、前記蓋の温度を検知する蓋温度検知手段５と、前記鍋加熱手段を制御する制御手段６とを備え、前記制御手段は、少なくとも３工程以上の異なる調理工程を持ち、温調温度、通電比率のいずれかを前工程よりも低く設定することができるので、ケーキ調理において、短時間で火通り良く、しかも適度な焦げ色に焼き上げることができる。【選択図】図１
2005102972.tif 000002
【特許請求の範囲】
【請求項１】
被調理物を入れる鍋と、前記鍋を加熱する鍋加熱手段と、前記鍋の温度を検知する鍋温度検知手段と、前記鍋の上面開口部を覆う蓋と、前記鍋加熱手段を制御する制御手段とを備え、前記制御手段は、少なくとも３工程以上の異なる調理工程を持ち、前記鍋の温度、前記鍋加熱手段の電力のいずれかを前工程よりも低く設定したケーキ調理機能付き電気炊飯器。
【請求項２】
被調理物を入れる鍋と、前記鍋を加熱する鍋加熱手段と、前記鍋の温度を検知する鍋温度検知手段と、前記鍋の上面開口部を覆う蓋と、前記蓋の温度を検知する蓋温度検知手段と、前記鍋加熱手段を制御する制御手段と、少なくとも炊飯とケーキ調理を同一のコースで調理するスタートスイッチと、前記調理スタートの状態を表示する表示手段を備え、前記制御手段は、少なくとも３工程以上の異なる調理工程を持ち、前記鍋の温度、前記鍋加熱手段の電力のいずれかを前工程よりも低く設定したケーキ調理機能付き電気炊飯器。
【請求項３】
制御手段は、鍋温度検知手段によって、鍋が所定の温度に達したことを検知した後、鍋の温度が所定の時間、所定の温度に維持すべく前記鍋加熱手段を電力Ｐ１で制御した後、追い炊き工程に入り、この追い炊き工程で、前記電力Ｐ１よりも低い電力Ｐ３で一定時間の加熱と加熱停止を２回以上行うようにした、請求項１に記載のケーキ調理機能付き電気炊飯器。
【請求項４】
制御手段は、電力Ｐ１よりも低い電力Ｐ３で一定時間の加熱と加熱停止を２回以上行い、さらに電力Ｐ３よりも低い電力Ｐ４で一定時間の加熱と調理工程の最終を含めて加熱停止を２回以上行うようにした、請求項１または３に記載のケーキ調理機能付き電気炊飯器。
【請求項５】
鍋を加熱する加熱手段として誘導加熱コイルを備えた請求項１〜４のいずれか１項に記載のケーキ調理機能付き電気炊飯器。
【発明の詳細な説明】
【技術分野】
【０００１】
本発明は、ケーキ調理機能付き電気炊飯器に関するものである。
【背景技術】
【０００２】
近年、家庭での調理方法が多様化し、炊飯器においても、ごはんを炊く以外の調理を行うことへのニーズが高まり、使用者がクッキングコースを選択することにより、制御手段がクッキングソフトを実行し、ケーキを焼くことができるようになっているものが知られている（例えば、特許文献１参照）。
【０００３】
図７は特許文献１のクッキングコースの温度と時間と通電比率の関係を示す図である。被調理物の水分が少ない調理メニューは、ケーキである。調理をスタートすると、鍋温度検知手段が所定の温度θ１を検知するまで、加熱手段を所定の通電比率ｄ１で通電する。所定の温度を検知した後、次の弱工程に移って調理を行う。
【０００４】
また、使用者がケーキ専用ソフトを選択することにより、制御手段がケーキ専用ソフトを実行し、ケーキを焼くことができるようになっているものも知られている（例えば、特許文献２参照）。
【特許文献１】特開２００３−４３３号公報
【特許文献２】特開平１０−２５７９６４号公報
【発明の開示】
【発明が解決しようとする課題】
【０００５】
しかしながら、上記の従来の炊飯器では、ケーキを短時間で焼き上げる目的で、昇温工程、焼き上げ工程での鍋の温度、焼き上げ工程の設定時間および鍋の加熱電力を高く設定すると、ケーキの底面に焦げが発生し、また、焦げを抑える目的で、鍋の温度あるいは鍋の加熱電力を低く設定すると、ケーキ焼成中に十分な膨化が行われなかったり、調理時間が長くなるため、特にケーキ周囲がパサついた仕上がりになったり、ケーキの火通りが低下したりするという課題を有していた。
【０００６】
本発明は、上記従来の課題を解決するもので、ケーキ調理において、短時間で火通り良く、しかも適度な焦げ色に焼き上げることのできるケーキ調理機能付き電気炊飯器の提供を目的とする。
【課題を解決するための手段】
【０００７】
前記従来の課題を解決するために、本発明は、少なくとも３工程以上の異なる調理工程を持ち、温調温度、電力のいずれかを前工程よりも低く設定するものである。この調理工程によって、ケーキを効率良く焼き上げることができるため、短時間で火通り良く、しかも適度な焦げ色に焼き上げることができる。
【発明の効果】
【０００８】
本発明のケーキ調理機能付き電気炊飯器は、ケーキ調理において、短時間で火通り良く、しかも適度な焦げ色に焼き上げることができる。
【発明を実施するための最良の形態】
【０００９】
第１の発明は、被調理物を入れる鍋と、前記鍋を加熱する鍋加熱手段と、前記鍋の温度を検知する鍋温度検知手段と、前記鍋の上面開口部を覆う蓋と、前記鍋加熱手段を制御する制御手段とを備え、前記制御手段は、少なくとも３工程以上の異なる調理工程を持ち、鍋の温度、鍋加熱手段の電力のいずれかを前工程よりも低く設定したことにより、ケーキを短時間で火通り良く、しかも適度な焦げ色に焼き上げることができる。
【００１０】
第２の発明は、被調理物を入れる鍋と、前記鍋を加熱する鍋加熱手段と、前記鍋の温度を検知する鍋温度検知手段と、前記鍋の上面開口部を覆う蓋と、前記蓋の温度を検知する蓋温度検知手段と、前記鍋加熱手段を制御する制御手段と、少なくとも炊飯とケーキ調理を同一のコースで調理するスタートスイッチと、前記調理スタートの状態を表示する表示手段を備え、前記制御手段は、少なくとも３工程以上の異なる調理工程を持ち、鍋の温度、鍋加熱手段の電力のいずれかを前工程よりも低く設定したことにより、炊飯とともに、ケーキを短時間で火通り良く、しかも適度な焦げ色に焼き上げることができる。
【００１１】
第３の発明は、特に、第１の発明の制御手段を、鍋温度検知手段によって、鍋が所定の温度に達したことを検知した後、鍋温度が所定の時間、所定の温度に維持するよう鍋加熱手段を電力Ｐ１で制御した後、追い炊き工程に入り、この追い炊き工程で、前記電力Ｐ１よりも低い電力Ｐ３で一定時間の加熱と加熱停止を２回以上行うようにしたことにより、特に焼き上げ前半の余熱でケーキを効率良く焼き上げることができるため、短時間で火通り良く、しかも適度な焦げ色に焼くことができる。
【００１２】
第４の発明は、特に、第１の発明の制御手段を、電力Ｐ１よりも低い電力Ｐ３で一定時間の加熱と加熱停止を２回以上行い、さらに電力Ｐ３よりも低い電力Ｐ４で一定時間の加熱と調理工程の最終を含めて加熱停止を２回以上行うようにしたことにより、焼き上げ工程で生成した緻密な気泡を保ち、短時間でしっとりとした良好な仕上がりのケーキを焼くことができる。
【００１３】
第５の発明は、第１〜第４の発明の加熱手段として、誘導加熱コイルを備えているので、よりきめ細かな温度制御が可能となるため、上記の効果を増大することができる。
【００１４】
以下、本発明の実施の形態について、図面を参照しながら説明する。なお、この実施の形態によって本発明が限定されるものではない。
【００１５】
（実施の形態）
図１は、本発明の実施の形態における電気炊飯器の断面図を示すものである。鍋１と鍋１の底面部に配置され前記鍋１を加熱する加熱手段２と、前記鍋１の温度を検知する鍋温度検知手段３と、前記鍋１の上部に位置する蓋４と、前記蓋４の温度を検知する蓋温度検知手段５と、前記加熱手段２を制御する制御部６によって構成されている。
【００１６】
以上のように構成された電気炊飯器について、図面を参照しながら説明する。
【００１７】
まず、鍋１に下準備されたケーキ生地を流し入れ、鍋１を図１に示すように載置する。調理をスタートするとまず昇温工程を開始する。ステップＳ１で鍋温度検知手段３が所定の温度θ３を検知するまで加熱手段２を所定の電力Ｐ１で加熱通電する。次にステップＳ３で前記温度θ３に達すると、次の炊き上げ工程を開始する。ステップＳ４で、鍋温度検知手段３により加熱手段２を所定の電力Ｐ１で通電と非通電を繰り返して所定の温度θ２で温度調節する。ここで、θ２およびθ３を焦げない程度にできるだけ高い温度に設定することにより、オーブンのような予熱を必要とせず、短時間でケーキ本来の緻密な気泡を生成することができる。
【００１８】
ステップＳ５で調理スタートからの時間が所定の時間Ｔ２に達したと判断すると、次の追炊き工程を開始する。追炊き工程では、ステップＳ６で所定の時間、加熱手段２への通電を停止した後、ステップＳ７で加熱手段２を所定の電力Ｐ３で、所定の時間通電する。次にステップＳ８で、再び所定の時間、加熱手段２への通電を停止した後、ステップＳ９で加熱手段２を前記電力Ｐ３より低い所定の電力Ｐ４で、所定の時間通電する。次にステップＳ１０で３回所定の時間加熱手段２への通電を停止し、調理工程を終了してケーキ調理を完了する。ここで、前記電力Ｐ３を前記電力Ｐ１の半分以下に設定し、さらに前記電力Ｐ４を前記電力Ｐ３より下げて設定し、かつ加熱停止時間（ステップＳ６、ステップＳ８、ステップＳ１０）を設けることにより、焼き上げ工程で十分な火力で焼き上げることにより生成した緻密な気泡を、その後の追い炊き工程で段階を経て火を引くことにより、その気泡を保つとともに焼き上げ工程の余熱と追い炊き工程の火力により、焦げを抑えて火通りを確保することができる。またその結果、短時間でしっとりとした良好な仕上がりのケーキを得ることができる。
【００１９】
次に前記の結果に至るまでの実験の経過について、（表１）のケーキ調理出来栄え結果表により説明する。
【００２０】
【表１】
2005102972.tif 000003
【００２１】
（表１）は、縦軸には鍋の温度、鍋加熱手段の電力、調理時間などの設定条件欄を示し、個々の実験条件下での出来栄え結果表である。
【００２２】
実験１の特許文献１に記載された条件設定では、前述のごとく「膨らみがやや不足してパサつく仕上がりとなった。
【００２３】
一方、実験４では、調理時間の短縮と膨らみを狙って、θ３を１５０℃、θ２を１４０℃に設定するも、「底部のコゲがきつく、上部は火通り不足」となった。その結果から、実験３ではθ３を１４０℃、θ２を１３０℃に設定するも、底のコゲの改善が見られたものの依然として「膨らみは良いが、上部の火通り不足」となった。
【００２４】
そこで本実施例では、θ３、θ２温度をさらに下げてθ３を１３０℃、θ２を１２３℃に設定するとともに、電力Ｐ３を４／１６、電力Ｐ４を３／１６に設定することにより「コゲ、火通りを解消するとともに、十分な膨らみ」を得る事ができた。
【００２５】
なお、電力Ｐ３に対し電力Ｐ４のを更に下げて設定したが、電力Ｐ３のみでも従来に対し十分に良好な結果が得られた。
【００２６】
また、本実施の形態では、同一の条件設定の制御により、ケーキだけではなく、炊飯も行うことができる。
【００２７】
次に、図面を参照しながら動作、作用を説明する。
【００２８】
まず、鍋１に所定量の米と水を入れた状態で、鍋１を図１に示すように載置する。図６で操作部７の炊飯およびケーキ兼用のスイッチ８を押すと、「炊飯／ケーキ」の表示部９が点灯し、炊飯がスタートし、加熱手段２を所定の電力Ｐ１で通電する（ステップＳ１）。ケーキ調理の場合とは異なり被調理物にケーキの場合より多い水分を加えているため、ステップＳ３で鍋温度検知手段がθ３を検知する以前にステップＳ２で蓋温度検知手段５がφ１を検知し、鍋１内が沸騰したことを検知して次の沸騰工程に入る。沸騰工程が開始すると、ステップＳ１１で炊飯量に応じた所定の電力Ｐ５で通電する。鍋１内の水分がなくなり、急激に鍋１温度が上昇し、ステップＳ１２で鍋温度検知手段３がθ２を検知すると加熱を停止し、次の追炊き工程に入る。追炊き工程が開始すると、ステップＳ６で所定の時間、加熱手段２への通電を停止した後、ステップＳ７で加熱手段２を所定の電力Ｐ３で、所定の時間通電する。次にステップＳ８で、再び所定の時間、加熱手段２への通電を停止した後、ステップＳ９で加熱手段２を所定の電力Ｐ４で、所定の時間通電する。ステップＳ１０で三度所定の時間加熱手段２への通電を停止し、調理工程を終了して炊飯を完了する。
【００２９】
ここで、電力Ｐ３を前記電力Ｐ１の半分以下に設定し、かつ加熱停止時間を設けることにより、ごはんを焦がすことなく必要な熱を加えてでんぷんの糊化を促進し、また加熱停止中に米粒内部への吸水をさらに促進することで、ふっくらと良好な状態のごはんを得ることができる。
【００３０】
また、同一の調理工程の制御プログラムでケーキと炊飯の両方の調理が可能となるため、選択ボタンが不要となり、炊飯器の操作性を向上させることができる。
【００３１】
本実施の形態においては、θ２＝１２３℃、θ３＝１３０℃、φ１＝７８℃、Ｐ１＝１６／１６（電力通電率）、Ｐ３＝４／１６（電力通電率）、Ｐ４＝３／１６（電力通電率）、Ｐ５＝１６／１６（電力通電率）、Ｔ２＝２５分３６秒である。なお、θ２、θ３、φ１、Ｐ１、Ｐ３、Ｐ４、Ｐ５の値は、一例であり、本体構成、調理量、仕上がりの状態などの状況に応じて数値を設定することができる。
【産業上の利用可能性】
【００３２】
以上のように、本発明に係るケーキ調理機能付き電気炊飯器は、ケーキ調理において、短時間で火通り良く、しかも適度な焦げ色に焼き上げることができるので、ケーキ調理機能付き電気炊飯器として有用である。
【図面の簡単な説明】
【００３３】
【図１】本発明の実施の形態における電気炊飯器の断面図
【図２】同電気炊飯器のケーキ調理時の温度と時間と電力の特性図
【図３】同電気炊飯器のケーキ調理時および炊飯時の動作フローチャート
【図４】同電気炊飯器の炊飯時の温度と時間と電力の特性図
【図５】同電気炊飯器の操作部の平面図
【図６】従来の電気炊飯器の温度と時間と電力の特性図
【符号の説明】
【００３４】
１  鍋
２  加熱手段
３  鍋温度検知手段
４  蓋
５  蓋温度検知手段
６  制御部
８  スイッチ
９  表示部
【図１】
2005102972.tif 000004
【図２】
2005102972.tif 000005
【図３】
2005102972.tif 000006
【図４】
2005102972.tif 000007
【図５】
2005102972.tif 000008
【図６】
2005102972.tif 000009